(57)【特許請求の範囲】
【請求項１】
固定接触子と、可動接触子と、前記可動接触子を操作して前記固定接触子と接触及び開離させる開閉機構と、押し込むことによって前記開閉機構を動作させて前記可動接触子を前記固定接触子から開離させる自己復帰性を有する機械的なトリップボタンを有する回路遮断器のロック装置であって、
ロック位置に移動させることによって、押し込まれている前記トリップボタンと係合してその自己復帰を阻止するロックプレートと、
ロック位置にある前記ロックプレートの移動を阻止する施錠機構と、
前記両接触子が導通状態にあるとき前記ロックプレートのロック位置への移動を阻止する前記開閉機構と連動する連動部材と、
を有することを特徴とする回路遮断器のロック装置。
【請求項２】
前記連動部材は、前記開閉機構の動作に応じて回転する中継レバーと、前記中継レバーの回転に追随して回転するように付勢されるとともにロック位置方向への前記ロックプレートの移動を阻止可能な係合手段を備えたロックレバーと、を有することを特徴とする請求項１の回路遮断器のロック装置。
【発明の詳細な説明】
【０００１】
【発明の属する技術分野】
本発明は、回路遮断器を不用意に閉路することを防止するロック装置に関する。
【０００２】
【従来の技術】
回路遮断器の従来の例が特開平１１−３３９６０９号公報に開示されている。図５ないし図７はこのような回路遮断器の正面の向かって右側から見た内部構成の要部を示す図である。
【０００３】
この回路遮断器の導電部は、電源側と負荷側の端子１、１と、固定接触子２、２及び可動接触子３とからなる開閉接触子を有する。可動接触子３は以下に説明する開閉機構の動作に応じて左右に移動し、固定接触子２、２と接触及び開離する。
【０００４】
開閉機構はフレーム４上に形成されており、可動接触子３はクロスバー５と共に回転するコンタクトレバー６に連結されている。可動接触子３は接圧ばね７、７及び遮断ばね１６によって左方向へ付勢されており、コンタクトレバー６上のトグルローラ８がトグルカム９と接し、トグルカム９が時計方向に付勢されている。この付勢力はトグルリンク１０、１１を介してトリップレバー１２を反時計方向に付勢している。トリップレバー１２は、トリガーレバー１３に設けられたトリップローラ１４と係合し、トリガーレバー１３は反時計方向に付勢されている。トリガーレバー１３は、その上部の一端において断面が半円状のトリップラッチ軸１５と係合して回転が停止しているため、前述の各部材は図５に示される状態を維持している。
【０００５】
この回路遮断器の開路操作は、軸１７に保持されているトリップボタン１８を押して反時計方向に回転させることによって行われる。この操作により、トリップ連結レバー１９が時計方向に回転し、トリップアクチュエータ２０が反時計方向に回転する。このトリップアクチュエータ２０と共にトリップラッチ軸１５が回転し、トリップラッチ軸１５とトリガーレバー１３の係合が解消する。この係合の解消に応じて、順次、トリガーレバー１３が反時計方向に回転し、トリップローラ１４との係合が解消してトリップレバー１２が反時計方向に回転し、トグルリンク１０、１１を介してトグルカム９が時計方向に回転し、クロスバー５と共にコンタクトレバー６が反時計方向に回転し可動接触子３が左方向に移動し図６の開路状態となる。
【０００６】
この回路遮断器の閉路操作は、予め投入ばね２１を蓄勢しておき、図７においてトリップボタン１８と同軸上に並設されるオンボタン２２を押すことによって行われる。この操作により半円状の断面を有する投入ラッチ軸２３が時計方向に回転し、係合が解消して投入ラッチ２４が時計方向に回転する。そして、詳細な説明は省略するが、投入ばね２１が放勢し操作レバー２５が反時計方向に回転し、操作レバー２５上のローラ２６に押されて投入カム２７が時計方向に回転し、投入カム２７に押されて上下のトグルリンク１０、１１を連結する軸２８が左方向に移動し両トグルリンク１０、１１が伸直し、可動接触子３が右方向に移動して固定接触子２、２と接触する。
【０００７】
ところで、このような回路遮断器が使用されている電気回路を保守点検する場合は、回路遮断器を開路しておかないと点検作業員が感電する恐れがある。また、回路遮断器を開路させてから作業を始めても、他の者が誤ってその遮断器を閉路すれば感電事故が発生する可能性がある。したがって、このような回路遮断器には、不用意に閉路操作が行われて電路に通電されることのないようにするため、開路状態でロックしておくオフロック機能が要求されることがある。
【０００８】
このオフロックの方法の一つに、トリップボタンを押した状態で施錠しておく方法がある。この状態にしておくと、トリップラッチ軸１５とトリガーレバー１３の係合が成立しないため、投入ばね２１が釈放されても回路遮断器が閉路することはない。また、前述の特開平１１−３３９６０９号公報には、トリップボタンを押した状態にしておくと、オンボタンを押しても投入ばねの釈放さえも阻止できる技術が開示されている。
【発明が解決しようとする課題】
このオフロック構造における施錠機構として、ロック状態でキーを取り外せる、例えば南京錠を利用したものがある。このような施錠機構は、南京錠を複数取り付けられるような長孔を形成しておけば、複数の作業員が同時に作業する場合でも、それぞれの作業員が南京錠を長孔に取り付けて施錠しておくことができる。そして、全員が解錠しない限り施錠状態が維持されて安全である。
ところで、回路遮断器には極めて稀な現象であるが、開閉接触子が溶着することがある。溶着すると、トリップボタンを押して開路操作を行っても開閉接触子が開離しない。したがって、作業員がトリップボタンを押して施錠し、電気回路が充電されていないと思って点検作業を行うと危険である。
【０００９】
したがって、この発明は、開閉接触子が溶着している状態においてはトリップボタンを押した状態で施錠できないような回路遮断器のロック装置を提供することを課題とする。
【００１０】
【課題を解決するための手段】
上記の課題を解決するために、本発明は、固定接触子と、可動接触子と、可動接触子を操作して固定接触子と接触及び開離させる開閉機構と、押し込むことによって開閉機構を動作させて可動接触子を固定接触子から開離させる自己復帰性を有する機械的なトリップボタンを有する回路遮断器のロック装置において、ロック位置に移動させることによって、押し込まれているトリップボタンと係合してその自己復帰を阻止するロックプレートと、ロック位置にあるロックプレートの移動を阻止する施錠機構と、両接触子が導通状態にあるときロックプレートのロック位置への移動を阻止する開閉機構と連動する連動部材と、を備えることとしている。
【００１１】
このような構成によって、開閉接触子が開離しているときはロックプレートをロック位置に移動できトリップボタンを押し込んだ状態で施錠できるが、開閉接触子が溶着しているときは、開閉機構と連動する連動部材によって阻止されてロックプレートをロック位置に移動できないため施錠できない。
【００１２】
【発明の実施の形態】
本発明の実施の形態を図１ないし図４に示される実施例によって説明する。図１及び図２は本実施例の要部説明図であって回路遮断器の正面の向かって左から見た図であり、図３は図１を正面から見た図である。また、図４は本実施例のロック装置を備えた回路遮断器の正面図であり、その導電部や開閉機構は従来の技術で説明した回路遮断器と同じであるため、回路遮断器自体の構成や動作の説明をここでは省略する。
【００１３】
この実施例によるロック装置は、フレーム４に設けられたロックプレート３０と、ロックレバー３１と、中継レバー３２と、中継リンク３３を有する。中継リンク３３はコンタクトレバー６と中継レバー３２との間に装着され、中継レバー３２は可動接触子の開閉に応じて往復回転する。ばね３５によって反時計方向に付勢されているロックレバー３１はピン３６を備えており、ピン３６が中継レバー３２の係合辺３２ａに接している。したがって、ロックレバー３１は中継レバー３２の回転に追随して回転し、可動接触子３が固定接触子２、２と接触しているとき反時計方向に回転した状態にあり、開離しているとき時計方向に回転した状態にある。
【００１４】
ロックプレート３０は上下方向にスライド可能なように保持され、その上部には係合ピン３７が設けられ、さらに係合縁３０ａが形成されている。また、下部には後述する施錠機構のための駆動端３０ｂが形成されている。合成樹脂成型品のトリップボタン１８には係合板３８が取り付けられており、全体がばね３９によって反時計方向に付勢されている。なお、図１ないし図３において、従来技術で説明したトリップボタン１８に取り付けられているトリップ連結レバー１９との連動部材の図示が省略されている。
【００１５】
このように構成されているロック装置の動作について説明する。閉路状態にある回路遮断器のトリップボタン１８を押すと可動接触子３が固定接触子２、２から開離し、中継レバー３２が反時計方向に回転し、ロックレバー３１が反時計方向に回転する。このため、ロックプレート３０の係合縁３０ａとロックレバー３１上のロックピン４０とは対向していない。この状態、すなわちトリップボタン１８を押した状態でロックプレート３０を押し上げると、係合ピン３７がトリップボタン１８と係合板３８によって形成される窪み４１にはまり込む。この状態が図２に示されている。したがって、トリップボタン１８を自由状態にしても係合板３８が係合ピン３７と係合し、元の位置へ復帰しない。すなわち、トリップボタン１８は、ロックプレート３０が下方に移動しない限り元の位置に復帰できない。この状態を後述する施錠機構によって保持すれば回路遮断器は閉路されることがない。
【００１６】
一方、回路遮断器の開閉接点が溶着しているときは、トリップボタン１８を押しても、前述のごとく、可動接触子３は固定接触子２、２との接触位置に留まるためロックレバー３１は回転しない。このため、ロックプレート３０の係合縁３０ａとロックレバー３１上のロックピン３７とは対向状態にある。したがって、このトリップボタン１８を押した状態でロックプレート３０を上方に移動させようと試みても、係合縁３０ａがロックピン４０に当たって移動させることができない。すなわち、ロックプレート３０の係合ピン３７が窪み４１にはまり込まないため、トリップボタン１８は手を離すと元の位置に復帰回転して、トリップボタン１８を押し込んだ状態でロックすることはできない。この状態が図２に示されている。
【００１７】
次に、このロック装置の下部に設けられる施錠機構ついて説明する。フレーム４には、施錠用レバー５０が回転自在に、施錠板５１がスライド自在に設けられている。施錠用レバー５０には駆動端５０ａと作用端５０ｂが形成され、駆動端５０ａは施錠板５１の窪み５１ａにはめ込まれ、作用端５０ｂはロックプレート３０の窪み３０ｂにはめ込まれている。施錠板５１とフレーム４に取り付けられた固定板５２との間には押ばね５３が設けられており、自由状態において施錠板５１に形成され長孔５１ｂが固定板５２から内部に入り込むようになっている。
【００１８】
このように構成された施錠機構の動作を説明する。前述のトリップボタン１８を押しながら、施錠板５１を手前に引き出すと、窪み５１ａ及び駆動端５０ａを介して、施錠用レバー５０が反時計方向に回転し、作用端５０ｂ及び窪み３０ｂを介してロックプレート３０が上方に移動し、トリップボタン１８の復帰を阻止する。この状態で、固定板５２から突き出している施錠板５１の長孔５１ｂに南京錠５４を取り付ける。この長孔には複数の南京錠５４を取り付けることができる。なお、開閉接触子が溶着している場合はロックプレート３０が上方に移動出来ないため施錠板５１を手前に引き出すことができず南京錠を取り付けることができない。また、誤って、閉路状態にある回路遮断器のトリップボタンを１８を押すことなく施錠板５１を引き出そうとしても、上述の溶着状態と同様に、ロックプレート３０が上方に移動出来ないため施錠できないことは言うまでもない。
【００１９】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００２０】
【発明の効果】
本発明は、以上説明した形態で実施され、開閉接触子を開離させるため自己復帰性を有するトリップボタンを押し込んで、ロックプレートをロック位置に移動させ、その状態でロックプレートを施錠することによって不用意な閉路動作を防止でき、開閉接触子が溶着している状態では施錠できないようにロックプレートの移動を阻止する開閉機構との連動部材を有しているため、安全に電路の保守点検作業を行うことができるという効果を奏する。
【図面の簡単な説明】
【図１】本発明による回路遮断器のロック装置の実施例の、施錠できない状態にある要部を示す側面図である。
【図２】図１の施錠できる状態にある図である。
【図３】図１の正面図である。
【図４】図１の実施例のロック装置を備えた回路遮断器の正面図である。
【図５】回路遮断器の構造と動作を説明する側面図である。
【図６】回路遮断器の構造と動作を説明する側面図である。
【図７】回路遮断器の構造と動作を説明する側面図である。
【符号の説明】
３０ ロックプレート（３０ａ 係合縁、 ３０ｂ 窪み）
３１ ロックレバー
３２ 中継レバー
３３ 中継リンク
３５、３９ ばね
３６ ピン
３７ 係合ピン
３８ 係合板
４０ ロックピン
４１ 窪み
５０ 施錠用レバー（５０ａ 駆動端、 ５０ｂ 作用端）
５１ 施錠板（５１ａ 窪み、 ５１ｂ 長孔）
５２ 固定板
５３ 押ばね
５４ 南京錠
【図１】
0003962201.tif 000002
【図２】
0003962201.tif 000003
【図３】
0003962201.tif 000004
【図４】
0003962201.tif 000005
【図５】
0003962201.tif 000006
【図６】
0003962201.tif 000007
【図７】
0003962201.tif 000008